(57)【特許請求の範囲】
【請求項１】
インクを吐出して画像を記録する記録部を備え、前記記録部を通過させるように、複数の記録媒体を順次連続して搬送し、前記記録部に搬送される記録媒体に画像を記録するインクジェット記録装置と、前記インクジェット記録装置と通信できるように接続され、前記インクジェット記録装置に画像を記録させるための情報処理装置と、を含む画像記録システムであって、
前記情報処理装置は、
前記情報処理装置がアクセスすることができる第三記憶部に記憶されている、第一の画像を示す第一の画像データと前記第一の画像データとは別の独立したデータである第二の画像を示す第二の画像データとを少なくとも含む複数の画像データから、前記第一の画像データと前記第二の画像データとを指定する画像データ指定部と、
前記画像データ指定部によって指定された前記第一の画像データから、前記第一の画像を記録するための第一の記録データを生成し、前記画像データ指定部によって指定された前記第二の画像データから、前記第二の画像を記録するための第二の記録データを生成する記録データ生成部と、
前記第一の画像及び前記第二の画像について、前記インクジェット記録装置で記録される順序を示す記録順序を、前記第一の記録データと前記第二の記録データとのそれぞれに関連付けて設定する順序設定部と、
前記記録データ生成部によって生成された前記第一の記録データ及び前記第二の記録データと、前記順序設定部によって前記第一の記録データと前記第二の記録データとのそれぞれに関連付けて設定された前記記録順序を示す順序指令と、を前記インクジェット記録装置に送信する送信部と、を備え、
前記インクジェット記録装置は、
前記情報処理装置から送信される、前記第一の記録データ及び前記第二の記録データと、前記順序指令と、を受信する受信部と、
前記第一の記録データ及び前記第二の記録データを記憶する第一記憶部と、
前記第一記憶部に記憶されている前記第一の記録データ及び前記第二の記録データの何れかを記憶する第二記憶部と、
前記記録部に搬送される記録媒体に前記第一の画像が記録される場合、前記第一の記録データを前記第一記憶部から前記第二記憶部に転送し、前記第二記憶部に前記第一の記録データを記憶し、前記記録部に搬送される記録媒体に前記第二の画像が記録される場合、前記第二の記録データを前記第一記憶部から前記第二記憶部に転送し、前記第二記憶部に前記第二の記録データを記憶する記憶制御部と、
前記記憶制御部によって前記第二記憶部に前記第一の記録データが記憶されている場合、前記第二記憶部に記憶されている前記第一の記録データに従い、前記第一の画像を前記記録部で記録し、前記記憶制御部によって前記第二記憶部に前記第二の記録データが記憶されている場合、前記第二記憶部に記憶されている前記第二の記録データに従い、前記第二の画像を前記記録部で記録する記録制御部と、を備え、
前記記憶制御部は、前記第一の記録データ及び前記第二の記録データの何れか一方の前記第二記憶部への転送及び記憶を、前記順序指令によって示される前記記録順序で実行し、
前記記録制御部は、前記第一の画像の記録及び前記第二の画像の記録を、前記順序指令によって示される前記記録順序で実行する、画像記録システム。
【請求項２】
前記情報処理装置は、さらに、前記第一の画像及び前記第二の画像の記録が繰り返される回数を示す記録回数を設定する記録回数設定部を備え、
前記送信部は、さらに、前記記録回数設定部によって設定された前記記録回数を示す回数指令を前記インクジェット記録装置に送信し、
前記インクジェット記録装置において、
前記受信部は、さらに、前記情報処理装置から送信される前記回数指令を受信し、
前記記憶制御部は、前記第一の記録データ及び前記第二の記録データの何れか一方の前記第二記憶部への転送及び記憶を、前記順序指令によって示される前記記録順序で、且つ前記回数指令によって示される前記記録回数だけ繰り返し、
前記記録制御部は、前記第一の画像の記録及び前記第二の画像の記録を、前記順序指令によって示される前記記録順序で、且つ前記回数指令によって示される前記記録回数だけ繰り返す、請求項１に記載の画像記録システム。
【請求項３】
前記情報処理装置は、さらに、
前記インクジェット記録装置で、前記第一の画像が記録されるときに前記第一の画像を連続して記録する回数を示し、前記第二の画像が記録されるときに前記第二の画像を連続して記録する回数を示す画像切替数を設定する切替数設定部を備え、
前記送信部は、さらに、前記切替数設定部によって設定された画像切替数を示す切替数指令を、前記インクジェット記録装置に送信し、
前記インクジェット記録装置において、
前記受信部は、さらに、前記情報処理装置から送信される前記切替数指令を受信し、
前記記録制御部は、前記切替数指令によって示される画像切替数に一致した回数だけ連続して前記第一の画像を記録し、且つ前記切替数指令によって示される画像切替数に一致した回数だけ連続して前記第二の画像を記録する、請求項１又は請求項２に記載の画像記録システム。
【請求項４】
前記インクジェット記録装置において、前記記憶制御部は、
前記第二記憶部に前記第一の記録データが記憶されている状態において、前記第二記憶部に前記第二の記録データを記憶する場合、前記第二記憶部に記憶されている前記第一の記録データを消去し、前記第二の記録データを前記第一記憶部から前記第二記憶部に転送し、
前記第二記憶部に前記第二の記録データが記憶されている状態において、前記第二記憶部に前記第一の記録データを記憶する場合、前記第二記憶部に記憶されている前記第二の記録データを消去し、前記第一の記録データを前記第一記憶部から前記第二記憶部に転送する、請求項１から請求項３の何れか１項に記載の画像記録システム。
【請求項５】
前記インクジェット記録装置において、前記記憶制御部は、前記第一の画像及び前記第二の画像の前記記録部での記録を終了する場合、前記第一記憶部に記憶されている前記第一の記録データ及び前記第二の記録データを消去する、請求項１から請求項４の何れか１項に記載の画像記録システム。
【請求項６】
インクを吐出して画像を記録する記録部を備え、前記記録部を通過させるように、複数の記録媒体を順次連続して搬送し、前記記録部に搬送される記録媒体に画像を記録するインクジェット記録装置と通信できるように接続され、前記インクジェット記録装置に画像を記録させるための情報処理装置であって、
前記情報処理装置がアクセスすることができる第三記憶部に記憶されている、第一の画像を示す第一の画像データと前記第一の画像データとは別の独立したデータである第二の画像を示す第二の画像データとを少なくとも含む複数の画像データから、前記第一の画像データと前記第二の画像データとを指定する画像データ指定部と、
前記画像データ指定部によって指定された前記第一の画像データから、前記第一の画像を記録するための第一の記録データを生成し、前記画像データ指定部によって指定された前記第二の画像データから、前記第二の画像を記録するための第二の記録データを生成する記録データ生成部と、
前記第一の画像及び前記第二の画像について、前記インクジェット記録装置で記録される順序を示す記録順序を、前記第一の記録データと前記第二の記録データとのそれぞれに関連付けて設定する順序設定部と、
前記記録データ生成部によって生成された前記第一の記録データ及び前記第二の記録データと、前記順序設定部によって前記第一の記録データと前記第二の記録データとのそれぞれに関連付けて設定された前記記録順序を示す順序指令と、を前記インクジェット記録装置に送信する送信部と、を備える情報処理装置。
【請求項７】
前記第一の画像及び前記第二の画像の記録が繰り返される回数を示す記録回数を設定する記録回数設定部を備え、
前記送信部は、さらに、前記記録回数設定部によって設定された前記記録回数を示す回数指令を前記インクジェット記録装置に送信する、請求項６に記載の情報処理装置。
【請求項８】
情報処理装置と通信できるように接続され、インクを吐出して画像を記録する記録部を備え、前記記録部を通過させるように、複数の記録媒体を順次連続して搬送し、前記記録部に搬送される記録媒体に画像を記録するインクジェット記録装置であって、
前記情報処理装置から送信される、前記情報処理装置で第一の画像を示す第一の画像データから生成された前記第一の画像を記録するための第一の記録データ及び前記情報処理装置で前記第一の画像データとは別の独立したデータである第二の画像を示す第二の画像データから生成された前記第二の画像を記録するための第二の記録データと、前記第一の画像及び前記第二の画像について、前記インクジェット記録装置で記録される順序を示す前記情報処理装置で前記第一の記録データと前記第二の記録データとのそれぞれに関連付けて設定された記録順序を示す順序指令と、を受信する受信部と、
前記第一の記録データ及び前記第二の記録データを記憶する第一記憶部と、
前記第一記憶部に記憶されている前記第一の記録データ及び前記第二の記録データの何れかを記憶する第二記憶部と、
前記記録部に搬送される記録媒体に前記第一の画像が記録される場合、前記第一の記録データを前記第一記憶部から前記第二記憶部に転送し、前記第二記憶部に前記第一の記録データを記憶し、前記記録部に搬送される記録媒体に前記第二の画像が記録される場合、前記第二の記録データを前記第一記憶部から前記第二記憶部に転送し、前記第二記憶部に前記第二の記録データを記憶する記憶制御部と、
前記記憶制御部によって前記第二記憶部に前記第一の記録データが記憶されている場合、前記第二記憶部に記憶されている前記第一の記録データに従い、前記第一の画像を前記記録部で記録し、前記記憶制御部によって前記第二記憶部に前記第二の記録データが記憶されている場合、前記第二記憶部に記憶されている前記第二の記録データに従い、前記第二の画像を前記記録部で記録する記録制御部と、を備え、
前記記憶制御部は、前記第一の記録データ及び前記第二の記録データの何れか一方の前記第二記憶部への転送及び記憶を、前記順序指令によって示される前記記録順序で実行し、
前記記録制御部は、前記第一の画像の記録及び前記第二の画像の記録を、前記順序指令によって示される前記記録順序で実行する、インクジェット記録装置。
【請求項９】
前記受信部は、さらに、前記情報処理装置から送信される、前記第一の画像及び前記第二の画像の記録が繰り返される回数を示す前記情報処理装置で設定された記録回数を示す回数指令を受信し、
前記記憶制御部は、前記第一の記録データ及び前記第二の記録データの何れか一方の前記第二記憶部への転送及び記憶を、前記順序指令によって示される前記記録順序で、且つ前記回数指令によって示される前記記録回数だけ繰り返し、
前記記録制御部は、前記第一の画像の記録及び前記第二の画像の記録を、前記順序指令によって示される前記記録順序で、且つ前記回数指令によって示される前記記録回数だけ繰り返す、請求項８に記載のインクジェット記録装置。
【請求項１０】
前記受信部は、さらに、前記情報処理装置から送信される、前記第一の画像が記録されるときに前記第一の画像を連続して記録する回数を示し、前記第二の画像が記録されるときに前記第二の画像を連続して記録する回数を示す、前記情報処理装置で設定された画像切替数を示す切替数指令を受信し、
前記記録制御部は、前記切替数指令によって示される画像切替数に一致した回数だけ連続して前記第一の画像を記録し、且つ前記切替数指令によって示される画像切替数に一致した回数だけ連続して前記第二の画像を記録する、請求項８又は請求項９に記載のインクジェット記録装置。
【請求項１１】
前記記憶制御部は、
前記第二記憶部に前記第一の記録データが記憶されている状態において、前記第二記憶部に前記第二の記録データを記憶する場合、前記第二記憶部に記憶されている前記第一の記録データを消去し、前記第二の記録データを前記第一記憶部から前記第二記憶部に転送し、
前記第二記憶部に前記第二の記録データが記憶されている状態において、前記第二記憶部に前記第一の記録データを記憶する場合、前記第二記憶部に記憶されている前記第二の記録データを消去し、前記第一の記録データを前記第一記憶部から前記第二記憶部に転送する、請求項８から請求項１０の何れか１項に記載のインクジェット記録装置。
【請求項１２】
前記記憶制御部は、前記第一の画像及び前記第二の画像の前記記録部での記録を終了する場合、前記第一記憶部に記憶されている前記第一の記録データ及び前記第二の記録データを消去する、請求項８から請求項１１の何れか１項に記載のインクジェット記録装置。
【請求項１３】
インクを吐出して画像を記録する記録部を備え、前記記録部を通過させるように、複数の記録媒体を順次連続して搬送し、前記記録部に搬送される記録媒体に画像を記録するインクジェット記録装置と、前記インクジェット記録装置と通信できるように接続され、前記インクジェット記録装置に画像を記録させるための情報処理装置と、を含む画像記録システムで実行されるインクジェット記録方法であって、
前記情報処理装置がアクセスすることができる第三記憶部に記憶されている、第一の画像を示す第一の画像データと前記第一の画像データとは別の独立したデータである第二の画像を示す第二の画像データとを少なくとも含む複数の画像データから、前記第一の画像データと前記第二の画像データとを指定する画像データ指定工程と、
前記画像データ指定工程によって指定された前記第一の画像データから、前記第一の画像を記録するための第一の記録データを生成し、前記画像データ指定工程によって指定された前記第二の画像データから、前記第二の画像を記録するための第二の記録データを生成する記録データ生成工程と、
前記第一の画像及び前記第二の画像について、前記インクジェット記録装置で記録される順序を示す記録順序を、前記第一の記録データと前記第二の記録データとのそれぞれに関連付けて設定する順序設定工程と、
前記記録データ生成工程によって生成された前記第一の記録データ及び前記第二の記録データと、前記順序設定工程によって前記第一の記録データと前記第二の記録データとのそれぞれに関連付けて設定された前記記録順序を示す順序指令と、を前記情報処理装置から前記インクジェット記録装置に送信する送信工程と、
前記情報処理装置から送信される、前記第一の記録データ及び前記第二の記録データと、前記順序指令と、を受信する受信工程と、
前記第一の記録データ及び前記第二の記録データを前記インクジェット記録装置が備える第一記憶部に記憶する第一記憶工程と、
前記記録部に搬送される記録媒体に前記第一の画像が記録される場合、前記第一の記録データを前記第一記憶部から前記インクジェット記録装置が備える第二記憶部に転送し、前記第二記憶部に前記第一の記録データを記憶し、前記記録部に搬送される記録媒体に前記第二の画像が記録される場合、前記第二の記録データを前記第一記憶部から前記第二記憶部に転送し、前記第二記憶部に前記第二の記録データを記憶する第二記憶工程と、
前記第二記憶工程によって前記第二記憶部に前記第一の記録データが記憶されている場合、前記第二記憶部に記憶されている前記第一の記録データに従い、前記第一の画像を前記記録部で記録し、前記第二記憶工程によって前記第二記憶部に前記第二の記録データが記憶されている場合、前記第二記憶部に記憶されている前記第二の記録データに従い、前記第二の画像を前記記録部で記録する記録工程と、を含み、
前記画像データ指定工程と、前記記録データ生成工程と、前記順序設定工程と、前記送信工程と、は前記情報処理装置で実行され、
前記受信工程と、前記第一記憶工程と、前記第二記憶工程と、前記記録工程と、は前記インクジェット記録装置で実行され、
前記第二記憶工程では、前記第一の記録データ及び前記第二の記録データの何れか一方の前記第二記憶部への転送及び記憶が、前記順序指令によって示される前記記録順序で実行され、
前記記録工程では、前記第一の画像の記録及び前記第二の画像の記録が、前記順序指令によって示される前記記録順序で実行される、インクジェット記録方法。
【請求項１４】
前記第一の画像及び前記第二の画像の記録が繰り返される回数を示す記録回数を設定する記録回数設定工程を含み、
前記記録回数設定工程は前記インクジェット記録装置で実行され、
前記送信工程では、さらに、前記記録回数設定工程によって設定された前記記録回数を示す回数指令が前記インクジェット記録装置に送信され、
前記受信工程では、さらに、前記情報処理装置から送信される前記回数指令が受信され、
前記第二記憶工程では、前記第一の記録データ及び前記第二の記録データの何れか一方の前記第二記憶部への転送及び記憶が、前記順序指令によって示される前記記録順序で、且つ前記回数指令によって示される前記記録回数だけ繰り返され、
前記記録工程では、前記第一の画像の記録及び前記第二の画像の記録が、前記順序指令によって示される前記記録順序で、且つ前記回数指令によって示される前記記録回数だけ繰り返される、請求項１３に記載のインクジェット記録方法。
【発明の詳細な説明】
【技術分野】
【０００１】
本発明は、画像記録システム、情報処理装置、インクジェット記録装置及びインクジェット記録方法に関する。
【背景技術】
【０００２】
従来から、各種の画像を所定の記録媒体に記録することが行われており、画像の記録に関する技術が提案されている（例えば、特許文献１参照）。特許文献１には、ロール紙への印刷に関し高速連続印刷を可能にする技術として、次のような構成が記載されている。すなわち、プリンタと共に印刷システムに含まれるコンピュータでは、印刷設定用のソフトウェアのプログラムが起動され、ユーザから指定された画像データが印刷画像リストに登録される。コンピュータでは、印刷画像リストに登録された全画像データを示す情報をリスト表示し、且つ印刷画像リストに登録されている各画像データの印刷形態を設定するための設定画面が、表示される。ユーザはキーボードやマウスなどの操作入力部を操作して、この設定画面から、印刷画像リストに登録された各画像データの印刷形態を設定したり、印刷順序を入れ替えたりする。印刷形態が設定された後は、印刷画像リストに登録された各画像データの印刷データが登録順序に従って順次生成されてコンピュータからプリンタへ転送される。
【先行技術文献】
【特許文献】
【０００３】
【特許文献１】特開２００３−２６３２９０号公報
【発明の概要】
【発明が解決しようとする課題】
【０００４】
ところで、画像を記録する装置の一つとして、インクジェット記録装置があり、広く用いられている。例えば、インクジェット記録装置は、パーソナルユースで広く利用されている。発明者は、加工生産現場において、インクジェット記録装置で各種の記録媒体に画像を記録することを検討している。例えば、インクジェット記録装置によって、所定の産業資材に画像を記録することを検討している。産業資材は、外形寸法（体積）が大きく及び／又は重量物である場合がある。つまり、産業資材は、取り扱いがし難いものである場合がある。発明者は、この検討の中で、産業資材のような外形寸法が大きく及び／又は重量物であって、それ故、取り扱いに問題が生じ易い記録媒体に対しても、画像の記録を効率的且つ高速に繰り返して実行し、この記録を伴う加工生産を効率的に実現することができる技術について検討を行った。
【０００５】
本発明は、各種の画像の記録を効率的且つ高速に繰り返して実行し、この記録を伴う加工生産を効率的に実現することができる画像記録システム、情報処理装置、インクジェット記録装置及びインクジェット記録方法を提供することを目的とする。
【課題を解決するための手段】
【０００６】
本発明の一側面は、インクを吐出して画像を記録する記録部を備え、前記記録部を通過させるように、複数の記録媒体を順次連続して搬送し、前記記録部に搬送される記録媒体に画像を記録するインクジェット記録装置と、前記インクジェット記録装置と通信できるように接続され、前記インクジェット記録装置に画像を記録させるための情報処理装置と、を含む画像記録システムであって、前記情報処理装置は、前記情報処理装置がアクセスすることができる第三記憶部に記憶されている、第一の画像を示す第一の画像データと前記第一の画像データとは別の独立したデータである第二の画像を示す第二の画像データとを少なくとも含む複数の画像データから、前記第一の画像データと前記第二の画像データとを指定する画像データ指定部と、前記画像データ指定部によって指定された前記第一の画像データから、前記第一の画像を記録するための第一の記録データを生成し、前記画像データ指定部によって指定された前記第二の画像データから、前記第二の画像を記録するための第二の記録データを生成する記録データ生成部と、前記第一の画像及び前記第二の画像について、前記インクジェット記録装置で記録される順序を示す記録順序を、前記第一の記録データと前記第二の記録データとのそれぞれに関連付けて設定する順序設定部と、前記記録データ生成部によって生成された前記第一の記録データ及び前記第二の記録データと、前記順序設定部によって前記第一の記録データと前記第二の記録データとのそれぞれに関連付けて設定された前記記録順序を示す順序指令と、を前記インクジェット記録装置に送信する送信部と、を備え、前記インクジェット記録装置は、前記情報処理装置から送信される、前記第一の記録データ及び前記第二の記録データと、前記順序指令と、を受信する受信部と、前記第一の記録データ及び前記第二の記録データを記憶する第一記憶部と、前記第一記憶部に記憶されている前記第一の記録データ及び前記第二の記録データの何れかを記憶する第二記憶部と、前記記録部に搬送される記録媒体に前記第一の画像が記録される場合、前記第一の記録データを前記第一記憶部から前記第二記憶部に転送し、前記第二記憶部に前記第一の記録データを記憶し、前記記録部に搬送される記録媒体に前記第二の画像が記録される場合、前記第二の記録データを前記第一記憶部から前記第二記憶部に転送し、前記第二記憶部に前記第二の記録データを記憶する記憶制御部と、前記記憶制御部によって前記第二記憶部に前記第一の記録データが記憶されている場合、前記第二記憶部に記憶されている前記第一の記録データに従い、前記第一の画像を前記記録部で記録し、前記記憶制御部によって前記第二記憶部に前記第二の記録データが記憶されている場合、前記第二記憶部に記憶されている前記第二の記録データに従い、前記第二の画像を前記記録部で記録する記録制御部と、を備え、前記記憶制御部は、前記第一の記録データ及び前記第二の記録データの何れか一方の前記第二記憶部への転送及び記憶を、前記順序指令によって示される前記記録順序で実行し、前記記録制御部は、前記第一の画像の記録及び前記第二の画像の記録を、前記順序指令によって示される前記記録順序で実行する、画像記録システムである。
【０００７】
この画像記録システムにおいて、前記情報処理装置は、さらに、前記第一の画像及び前記第二の画像の記録が繰り返される回数を示す記録回数を設定する記録回数設定部を備え、前記送信部は、さらに、前記記録回数設定部によって設定された前記記録回数を示す回数指令を前記インクジェット記録装置に送信し、前記インクジェット記録装置において、前記受信部は、さらに、前記情報処理装置から送信される前記回数指令を受信し、前記記憶制御部は、前記第一の記録データ及び前記第二の記録データの何れか一方の前記第二記憶部への転送及び記憶を、前記順序指令によって示される前記記録順序で、且つ前記回数指令によって示される前記記録回数だけ繰り返し、前記記録制御部は、前記第一の画像の記録及び前記第二の画像の記録を、前記順序指令によって示される前記記録順序で、且つ前記回数指令によって示される前記記録回数だけ繰り返す、ようにしてもよい。
【０００８】
これによれば、インクジェット記録装置に対して記録の指示を好適に行える情報処理装置を含む画像記録システムとすることができる。情報処理装置と共に画像記録システムに含まれるインクジェット記録装置では、情報処理装置からの指示に従った第一の画像及び第二の画像の記録が好適に行われる。記録される画像を切り替える際、第一記憶部に記憶されている第一の記録データ及び第二の記録データのうち、今回（新たに）記録される画像のための記録データを、第二記憶部に転送し記憶させることが可能で、第二記憶部に記憶されている第一の記録データ又は第二の記録データに従って、第一の画像又は第二の画像を記録することができる。回数指令が送受信される画像記録システムに含まれる上述のインクジェット記録装置では、第一の画像の記録と第二の画像の記録とが、繰り返される。そのため、例えば、第一の画像が記録された記録媒体と、第二の画像が記録された記録媒体とが一つのセットとして利用されるような場合において、利用の態様に適合した画像の記録を実現し、取引態様に合った出荷作業を容易に行うことができる。そのため、効率的な出荷作業を実現することができる。なお、第一記憶部及び第二記憶部は、ハードウェア的に異なる少なくとも２個の記憶部でそれぞれ構成されていてもよい。例えば、第一記憶部及び第二記憶部は、それぞれ１個の記憶部で構成されていてもよい。第一記憶部が、２個の記憶部で構成され、第二記憶部が１個の記憶部で構成されていてもよい。また、第一記憶部及び第二記憶部は、ハードウェア的に単一の記憶部で構成されていてもよい。この場合、単一の記憶部において、所定の第一記憶領域が第一記憶部とされ、他の第二記憶領域が第二記憶部とされる。
【０００９】
この画像記録システムは、他の構成をさらに含むようにしてもよい。前記情報処理装置は、さらに、前記インクジェット記録装置で、前記第一の画像が記録されるときに前記第一の画像を連続して記録する回数を示し、前記第二の画像が記録されるときに前記第二の画像を連続して記録する回数を示す画像切替数を設定する切替数設定部を備え、前記送信部は、さらに、前記切替数設定部によって設定された画像切替数を示す切替数指令を、前記インクジェット記録装置に送信し、前記インクジェット記録装置において、前記受信部は、さらに、前記情報処理装置から送信される前記切替数指令を受信し、前記記録制御部は、前記切替数指令によって示される画像切替数に一致した回数だけ連続して前記第一の画像を記録し、且つ前記切替数指令によって示される画像切替数に一致した回数だけ連続して前記第二の画像を記録する、ようにしてもよい。これによれば、第一の画像及び第二の画像が記録される回数について、情報処理装置からより詳細な指示が可能となり、インクジェット記録装置では、情報処理装置からの指示に従った第一の画像及び第二の画像の記録が好適に行われる。上述したようなセットにおいて、第一の画像が記録された記録媒体と、第二の画像が記録された記録媒体との組合せのバリエーションを豊富化させることができる。一つのセットを、第一の画像が記録された複数の記録媒体と、第二の画像が記録された複数の記録媒体とで構成することができる。なお、設定される画像切替数について、第一の画像を連続して記録する回数と、第二の画像を連続して記録する回数とは、共通した一の値に設定されてもよく、また、それぞれ個別の値に設定されてもよい。
【００１０】
また、前記インクジェット記録装置において、前記記憶制御部は、前記第二記憶部に前記第一の記録データが記憶されている状態において、前記第二記憶部に前記第二の記録データを記憶する場合、前記第二記憶部に記憶されている前記第一の記録データを消去し、前記第二の記録データを前記第一記憶部から前記第二記憶部に転送し、前記第二記憶部に前記第二の記録データが記憶されている状態において、前記第二記憶部に前記第一の記録データを記憶する場合、前記第二記憶部に記憶されている前記第二の記録データを消去し、前記第一の記録データを前記第一記憶部から前記第二記憶部に転送する、ようにしてもよい。これによれば、第一の記録データ又は第二の記録データの第二記憶部への記憶を、好適に行うことができる。なお、第二記憶部の記憶容量を小さくすることができる。
【００１１】
また、前記インクジェット記録装置において、前記記憶制御部は、前記第一の画像及び前記第二の画像の前記記録部での記録を終了する場合、前記第一記憶部に記憶されている前記第一の記録データ及び前記第二の記録データを消去する、ようにしてもよい。これによれば、記録が終了した場合について、第一記憶部に第一の記録データ及び第二の記録データが記憶され続けるといった状態の発生を防止することができる。なお、第一の画像及び第二の画像の記録部での記録を終了する場合、第二記憶部に記憶されている第一の記録データ又は第二の記録データを消去する、ようにすることもできる。記録が終了した場合について、第二記憶部に第一の記録データ又は第二の記録データが記憶され続けるといった状態の発生を防止することができる。
【００１２】
本発明の他の側面は、上述した何れかの画像記録システムに含まれる情報処理装置であり、本発明のさらに他の側面は、上述した何れかの画像記録システムに含まれるインクジェット記録装置である。
【００１３】
本発明のさらに他の側面は、インクを吐出して画像を記録する記録部を備え、前記記録部を通過させるように、複数の記録媒体を順次連続して搬送し、前記記録部に搬送される記録媒体に画像を記録するインクジェット記録装置と、前記インクジェット記録装置と通信できるように接続され、前記インクジェット記録装置に画像を記録させるための情報処理装置と、を含む画像記録システムで実行されるインクジェット記録方法であって、前記情報処理装置がアクセスすることができる第三記憶部に記憶されている、第一の画像を示す第一の画像データと前記第一の画像データとは別の独立したデータである第二の画像を示す第二の画像データとを少なくとも含む複数の画像データから、前記第一の画像データと前記第二の画像データとを指定する画像データ指定工程と、前記画像データ指定工程によって指定された前記第一の画像データから、前記第一の画像を記録するための第一の記録データを生成し、前記画像データ指定工程によって指定された前記第二の画像データから、前記第二の画像を記録するための第二の記録データを生成する記録データ生成工程と、前記第一の画像及び前記第二の画像について、前記インクジェット記録装置で記録される順序を示す記録順序を、前記第一の記録データと前記第二の記録データとのそれぞれに関連付けて設定する順序設定工程と、前記記録データ生成工程によって生成された前記第一の記録データ及び前記第二の記録データと、前記順序設定工程によって前記第一の記録データと前記第二の記録データとのそれぞれに関連付けて設定された前記記録順序を示す順序指令と、を前記情報処理装置から前記インクジェット記録装置に送信する送信工程と、前記情報処理装置から送信される、前記第一の記録データ及び前記第二の記録データと、前記順序指令と、を受信する受信工程と、前記第一の記録データ及び前記第二の記録データを前記インクジェット記録装置が備える第一記憶部に記憶する第一記憶工程と、前記記録部に搬送される記録媒体に前記第一の画像が記録される場合、前記第一の記録データを前記第一記憶部から前記インクジェット記録装置が備える第二記憶部に転送し、前記第二記憶部に前記第一の記録データを記憶し、前記記録部に搬送される記録媒体に前記第二の画像が記録される場合、前記第二の記録データを前記第一記憶部から前記第二記憶部に転送し、前記第二記憶部に前記第二の記録データを記憶する第二記憶工程と、前記第二記憶工程によって前記第二記憶部に前記第一の記録データが記憶されている場合、前記第二記憶部に記憶されている前記第一の記録データに従い、前記第一の画像を前記記録部で記録し、前記第二記憶工程によって前記第二記憶部に前記第二の記録データが記憶されている場合、前記第二記憶部に記憶されている前記第二の記録データに従い、前記第二の画像を前記記録部で記録する記録工程と、を含み、前記画像データ指定工程と、前記記録データ生成工程と、前記順序設定工程と、前記送信工程と、は前記情報処理装置で実行され、前記受信工程と、前記第一記憶工程と、前記第二記憶工程と、前記記録工程と、は前記インクジェット記録装置で実行され、前記第二記憶工程では、前記第一の記録データ及び前記第二の記録データの何れか一方の前記第二記憶部への転送及び記憶が、前記順序指令によって示される前記記録順序で実行され、前記記録工程では、前記第一の画像の記録及び前記第二の画像の記録が、前記順序指令によって示される前記記録順序で実行される、インクジェット記録方法である。
【００１４】
このインクジェット記録方法は、前記第一の画像及び前記第二の画像の記録が繰り返される回数を示す記録回数を設定する記録回数設定工程を含み、前記記録回数設定工程は前記インクジェット記録装置で実行され、前記送信工程では、さらに、前記記録回数設定工程によって設定された前記記録回数を示す回数指令が前記インクジェット記録装置に送信され、前記受信工程では、さらに、前記情報処理装置から送信される前記回数指令が受信され、前記第二記憶工程では、前記第一の記録データ及び前記第二の記録データの何れか一方の前記第二記憶部への転送及び記憶が、前記順序指令によって示される前記記録順序で、且つ前記回数指令によって示される前記記録回数だけ繰り返され、前記記録工程では、前記第一の画像の記録及び前記第二の画像の記録が、前記順序指令によって示される前記記録順序で、且つ前記回数指令によって示される前記記録回数だけ繰り返される、ようにしてもよい。
【００１５】
これによれば、情報処理装置と共に画像記録システムに含まれるインクジェット記録装置では、情報処理装置からの指示に従った第一の画像及び第二の画像の記録が好適に行われる。記録される画像を切り替える際、第一記憶部に記憶されている第一の記録データ及び第二の記録データのうち、今回（新たに）記録される画像のための記録データを、第二記憶部に転送し記憶させることが可能で、第二記憶部に記憶されている第一の記録データ又は第二の記録データに従って、第一の画像又は第二の画像を記録することができる。回数指令が送受信される画像記録システムに含まれる上述のインクジェット記録装置では、第一の画像が記録された記録媒体と、第二の画像が記録された記録媒体とを、繰り返して複数セット生産することができる。取引態様に合った記録媒体の出荷作業を容易に行うことが可能となり、効率的な出荷作業を実現することができる。
【発明の効果】
【００１６】
本発明によれば、各種の画像の記録を効率的且つ高速に繰り返して実行し、この記録を伴う加工生産を効率的に実現することができる画像記録システム、情報処理装置、インクジェット記録装置及びインクジェット記録方法を得ることができる。
【図面の簡単な説明】
【００１７】
【図１】画像記録システムを含むシステムの一例を示す図であって、情報処理装置及びインクジェット記録装置の機能的な構成を示すブロック図である。
【図２】インクジェット記録装置の外観構成の一例を示す図である。（ａ）は平面図であり、（ｂ）は正面図である。
【図３】画像記録システムで実行される処理のフローチャートである。
【図４】情報処理装置の表示部に表示される操作画面の一例を示す図である。
【図５】比較例における加工生産の第一工程〜第三工程を示す図である。
【図６】比較例における加工生産の第四工程及び第五工程を示す図である。
【図７】本実施形態における加工生産の第一工程及び第二工程を示す図である。
【図８】情報処理装置の表示部に表示される他の操作画面の一例を示す図である。
【発明を実施するための形態】
【００１８】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。また、他の構成を含むようにしてもよい。
【００１９】
＜画像記録システム＞
画像記録システム１は、図１に示すように、少なくとも、情報処理装置１０とインクジェット記録装置５０とを含む。情報処理装置１０とインクジェット記録装置５０とは、ＬＡＮ（Local Area Network）等によるネットワーク９０に接続されている。つまり、両装置は、ネットワーク９０を介してデータを通信できるように接続されている。なお、情報処理装置１０とインクジェット記録装置５０との接続形態は、ネットワーク９０によるものの他、例えば、ＵＳＢ（Universal Serial Bus）接続等によるローカル接続とすることもできる。なお、ネットワーク９０には、情報処理装置１０及びインクジェット記録装置５０の他、例えば記憶装置９２が接続されている。記憶装置９２は、各種のデータ等を記憶する。情報処理装置１０は、ネットワーク９０を介して記憶装置９２にアクセスできる。
【００２０】
情報処理装置１０は、パーソナルコンピュータ又はワークステーション等によって構成される。情報処理装置１０は、自装置で所定の機能を実行するための構成として、少なくとも、ＣＰＵ１２と、記憶部１４と、メモリ１６と、通信インターフェース１８とを備える。ＣＰＵ１２は、各種の演算処理を実行し、情報処理装置１０を制御する。記憶部１４は、例えばハードディスクドライブによって構成される。記憶部１４には、情報処理装置１０で実行される処理のためのコンピュータプログラムが記憶されている。また、記憶部１４には、インクジェット記録装置５０で記録される画像を示す画像データが記憶されている。図１に示す例では、画像Ａ〜Ｄを示す画像データＡ〜Ｄが、記憶部１４に記憶されている。以下では、これら画像Ａ〜Ｄを示す画像データＡ〜Ｄと、後述するように画像データＡ〜Ｄから生成される記録データＡ〜Ｄとを例として説明する。
【００２１】
メモリ１６は、例えばＲＡＭによって構成される。メモリ１６は、ＣＰＵ１２が各種の演算処理を実行する際の作業領域となる。情報処理装置１０からインクジェット記録装置５０に対して画像の記録を指示するための処理が開始され、ユーザによって所定の操作が行われた場合、記録の対象となる画像データＡ〜Ｄが読み出され、メモリ１６に記憶される。ＣＰＵ１２は、記憶部１４に記憶されているラスタライズ処理のためのコンピュータプログラムをメモリ１６上で実行し、メモリ１６に記憶された画像データＡをラスタライズし、記録データＡを生成する。同様に、ＣＰＵ１２は、メモリ１６に記憶された画像データＢ〜Ｄをラスタライズし、記録データＢ〜Ｄを生成する。生成された記録データＡ〜Ｄは、画像データＡ〜Ｄと同じくメモリ１６に記憶される。通信インターフェース１８は、ネットワーク９０に接続されたインクジェット記録装置５０及び記憶装置９２との間の通信を実行する。例えば、ラスタライズによって生成されてメモリ１６に記憶されている記録データＡ〜Ｄは、通信インターフェース１８からインクジェット記録装置５０に送信される。
【００２２】
情報処理装置１０は、この他、図１には図示されていない構成として、例えばＲＯＭを備える。また、情報処理装置１０は、所定のハードウェアインターフェースを備える。例えば、表示部、操作部、メモリカードスロット及びＵＳＢ接続インターフェース等を備える。表示部には、各種の情報が表示される。例えば、後述する操作画面１００，２００が表示される。操作部は、キーボード及びマウス等によって構成される。ユーザは、操作部を操作し、所定の指示を情報処理装置１０に入力する。メモリカードスロットには、所定のデータが記憶されているメモリカードが挿入される。上述したような画像データは、メモリカードに記憶されていてもよい。ＵＳＢ接続インターフェースは、ＵＳＢ接続のためのインターフェースである。例えば、操作部を構成するキーボード及び／又はマウスは、ＵＳＢ接続インターフェースを介して接続されていてもよい。インクジェット記録装置５０との接続がＵＳＢ接続とされる場合、ＵＳＢ接続インターフェースを介して接続される。
【００２３】
情報処理装置１０において、ＣＰＵ１２が、記憶部１４に記憶されている、ラスタライズ処理及び後述する図３のＳ１００〜Ｓ１０６のためのコンピュータプログラムを含む各種のコンピュータプログラムを、メモリ１６上で実行することで、各種の機能が実行され、各種の機能手段（制御部）が構成される。
【００２４】
インクジェット記録装置５０は、記録媒体としての産業資材、例えば図２に示すようなコンクリートブロック８０の記録面８２に対して、フルカラーの画像を記録する。インクジェット記録装置には、シリアル型のインクジェット記録装置と、ライン型のインクジェット記録装置とがある。記録媒体としての産業資材には、図２に示すようなコンクリートブロック８０の他、窯業サイディング材等による建築材が含まれる。本実施形態では、インクジェット記録装置５０が、ライン型のインクジェット記録装置であり、記録媒体としての産業資材が、コンクリートブロックである場合を例に説明する。インクジェット記録装置５０での画像の記録には、例えば、活性エネルギー硬化型インクが用いられる。活性エネルギー硬化型インクとしては、紫外線硬化型インク及び電子線硬化型インク等が例示される。本実施形態では、紫外線硬化型インクを例に説明する。
【００２５】
インクジェット記録装置５０は、自装置で所定の機能を実行するための構成として、少なくとも、ＣＰＵ５２と、通信インターフェース５４と、第一メモリ５６と、第二メモリ５８と、記録部６０とを備える。また、インクジェット記録装置５０は、図２に示すように、搬送部６４と、キャリッジ６８と、紫外線照射部７０と、制御ボックス７２とを備える。ＣＰＵ５２は、各種の演算処理を実行し、インクジェット記録装置５０を制御する。通信インターフェース５４は、ネットワーク９０に接続された情報処理装置１０との間の通信を実行する。通信インターフェース５４は、情報処理装置１０から送信される記録データＡ〜Ｄを受信する。第一メモリ５６は、例えばＲＡＭ又は不揮発性のメモリによって構成される。第一メモリ５６には、通信インターフェース５４で受信された記録データＡ〜Ｄが記憶される。第二メモリ５８は、例えばＲＡＭによって構成される。なお、第一メモリ５６及び第二メモリ５８は、ハードウェア的に単一のメモリで構成されていてもよい。例えば、第二メモリ５８は、第一メモリ５６の記憶領域の一部を用いた構成としてもよい。具体的に、第二メモリ５８は、ラインメモリ（ＦＩＦＯ）として構成してもよい。第二メモリ５８には、第一メモリ５６に記憶されている記録データＡ〜Ｄのうち、記録部６０に搬送されるコンクリートブロック（以下、「ブロック」という。）８０の記録面８２に記録される画像のための記録データが記憶される。
【００２６】
ＣＰＵ５２は、記録の対象であって第一メモリ５６に記憶されている記録データＡ〜Ｄの何れか一つを、第一メモリ５６から読み出し、これを第二メモリ５８に転送して記憶する。ＣＰＵ５２は、記録データＡ〜Ｄの何れかを第二メモリ５８に記憶するに際し、既に第二メモリ５８に記憶されている記録データがあれば、既に記憶されている記録データを第二メモリ５８から消去する。記録部６０は、紫外線硬化型インクを、搬送されてきたブロック８０の記録面８２に向けて吐出する。これによって、記録面８２には、第二メモリ５８に記憶されている記録データＡ〜Ｄの何れかによる画像が記録される。記録部６０の構成と、記録部６０による画像の記録については、後述する。インクジェット記録装置５０は、この他、図１には図示されていない構成として、例えばＲＯＭを備える。ＲＯＭには、インクジェット記録装置５０で実行される処理のためのコンピュータプログラムが記憶されている。例えば、後述する図３のＳ１０８〜Ｓ１２６のためのコンピュータプログラムが記憶されている。インクジェット記録装置５０において、ＣＰＵ５２が、ＲＯＭに記憶されているコンピュータプログラムを、第一メモリ５６若しくは第二メモリ５８又はこれ以外のメモリ（ＲＡＭ、不図示）上で実行することで、各種の機能が実行され、各種の機能手段（制御部）が構成される。
【００２７】
搬送部６４は、コンベア等によって構成される。搬送部６４は、搬送面６６に載せ置かれたブロック８０を搬送する。搬送部６４は、ブロック８０を、搬送部６４の一端側（図２（ａ），（ｂ）を正面視したとき左端側）から、記録部６０（キャリッジ６８）及び紫外線照射部７０を通過させ、搬送部６４の他端側に搬送する（図２（ａ），（ｂ）を正面視したとき右側に示す二点鎖線のブロック８０参照）。キャリッジ６８は、記録部６０を備える。記録部６０は、キャリッジ６８に取り付け固定される。記録部６０は、図２に示すような記録ヘッド６２Ｋ，６２Ｃ，６２Ｍ，６２Ｙを含む。記録ヘッド６２Ｋは、ブラックの紫外線硬化型インクを吐出する記録ヘッドである。記録ヘッド６２Ｃは、シアンの紫外線硬化型インクを吐出する記録ヘッドである。記録ヘッド６２Ｍは、マゼンタの紫外線硬化型インクを吐出する記録ヘッドである。記録ヘッド６２Ｙは、イエローの紫外線硬化型インクを吐出する記録ヘッドである。記録ヘッド６２Ｋ，６２Ｃ，６２Ｍ，６２Ｙにはそれぞれ、記録面８２に対向する面にノズルが形成されている。各色の紫外線硬化型インクは、これらノズルから吐出される。
【００２８】
紫外線照射部７０は、活性エネルギーを照射する活性エネルギー照射部として機能する。紫外線照射部７０は、記録部６０に対して搬送方向下流側の所定の位置に設置されている。紫外線照射部７０は、搬送部６４の搬送面６６に向けて設置された紫外線ランプを備え、搬送面６６の方向に活性エネルギー線としての紫外線を照射する。紫外線照射部７０は、紫外線ランプから発せられた紫外線が外部に照射されることを防止可能なシャッタ機構を備え、このシャッタ機構を開閉させることで、紫外線の照射を開始し停止することができる。なお、紫外線の照射の開始及び停止は、紫外線照射部７０が備える紫外線ランプの点灯及び消灯によって実現する構成としてもよい。この場合、シャッタ機構を省略することができる。紫外線の照射は、例えば、記録部６０に対して搬送方向下流側で且つ紫外線照射部７０に対して搬送方向上流側の所定の位置に設置された検知センサ（不図示）で、ブロック８０が検知されたことを条件として開始される。紫外線の照射は、紫外線照射部７０に対して搬送方向下流側の所定の位置に設置された検知センサ（不図示）で、ブロック８０が紫外線照射部７０を通過したことが検知されたことを条件として停止される。紫外線の照射の開始後、所定の時間経過したとき、紫外線の照射を停止するようにしてもよい。制御ボックス７２は、例えば、ＣＰＵ５２と通信インターフェース５４と第一メモリ５６と第二メモリ５８とが取り付けられた回路基板及び電気配線等を収納したボックスである。図２では、制御ボックス７２は、記録部６０の上方に配置されているが、この場所以外の場所に配置されてもよい。
【００２９】
インクジェット記録装置５０は、図２に示す構成の他、例えば、ブラック、シアン、マゼンタ及びイエローの紫外線硬化型インクをそれぞれ貯留したメインタンク（不図示）を備える。ブラック用のメインタンクに貯留された紫外線硬化型ブラックインクは、ブラック用のインク供給ライン７４を介して記録ヘッド６２Ｋに供給される。シアン用のメインタンクに貯留された紫外線硬化型シアンインクは、シアン用のインク供給ライン７４を介して記録ヘッド６２Ｃに供給される。マゼンタ用のメインタンクに貯留された紫外線硬化型マゼンタインクは、マゼンタ用のインク供給ライン７４を介して記録ヘッド６２Ｍに供給される。イエロー用のメインタンクに貯留された紫外線硬化型イエローインクは、イエロー用のインク供給ライン７４を介して記録ヘッド６２Ｙに供給される。なお、図２（ａ），（ｂ）では、各色用のインク供給ライン７４は、簡略化して図示されている。また、情報処理装置１０との接続をＵＳＢ接続とする場合、インクジェット記録装置５０は、ＵＳＢ接続インターフェースを備える。
【００３０】
記憶装置９２は、所定のデータを記憶する。所定のデータとしては、画像データ等が例示される。つまり、インクジェット記録装置５０で記録される画像を示す画像データは、記憶装置９２に記憶された画像データであってもよい。記憶装置９２は、ネットワーク９０ではなく、情報処理装置１０の外部記憶装置として、情報処理装置１０に直接接続されていてもよい。この場合、情報処理装置１０と記憶装置９２とは、例えばＵＳＢ接続インターフェースを介してＵＳＢ接続される。
【００３１】
インクジェット記録装置５０で画像の記録工程が開始される場合、インクジェット記録装置５０には、情報処理装置１０から記録の開始のための指示が入力される。つまり、情報処理装置１０では、記録の対象となる画像データＡ〜Ｄが指定され、記録データＡ〜Ｄが生成される。また、情報処理装置１０では、後述する順序指令、回数指令及び切替数指令等を含む所定の指令が設定される。そして、記録データＡ〜Ｄと、順序指令、回数指令及び切替数指令等を含む所定の指令とが、情報処理装置１０から送信され（図３のＳ１０４参照）、インクジェット記録装置５０で受信される。これらを受信したインクジェット記録装置５０では、記録データＡ〜Ｄと、順序指令、回数指令及び切替数指令等を含む所定の指令とに従い、画像の記録が開始される（図３のＳ１１６参照）。
【００３２】
まず、搬送部６４が動作を開始し、搬送面６６に載せ置かれたブロック８０の搬送が開始される。次に、記録部６０において、各色の紫外線硬化型インクが吐出され、紫外線硬化型ブラックインクによるブラックドットと、紫外線硬化型シアンインクによるシアンインクドットと、紫外線硬化型マゼンタインクによるマゼンタドットと、紫外線硬化型イエローインクによるイエロードットとが、搬送されてきたブロック８０の記録面８２に記録される。ここで、第一メモリ５６に記憶されている記録データＡ〜Ｄのうち、順序指令で第一位に設定された一つの記録データが第二メモリ５８に転送されて記憶される（図３のＳ１１２参照）。紫外線硬化型インクの吐出は、第二メモリ５８に記憶された記録データに従って実行される。その後、さらに搬送部６４によってブロック８０が搬送され、紫外線照射部７０において、記録面８２に紫外線が照射される。換言すれば、記録面８２に着弾し、ブラックドット、シアンドット、マゼンタドット、イエロードットを形成する各色の紫外線硬化型インクによるインク滴に、紫外線が照射される。これによって、ブラックドット、シアンドット、マゼンタドット、イエロードットが硬化し、１個のブロック８０に対する画像の記録が終了する。搬送面６６には、ブロック８０が所定のタイミングで順次載せ置かれ、これの搬送が順次開始され、順序指令、回数指令及び切替数指令等を含む所定の指令に従って、上記処理が連続的に繰り返して実行される。
【００３３】
＜画像記録システムで実行される処理＞
画像記録システム１で実行される処理について、図３及び図４を参照して説明する。この処理の実行によって、上記で概略を説明した画像の記録のための処理が行われる。図３において、Ｓ１００〜Ｓ１０６は、情報処理装置１０で実行され、Ｓ１０８〜Ｓ１２６は、インクジェット記録装置５０で実行される処理である。なお、以下では、Ｓ１００〜Ｓ１０６を、情報処理装置側処理といい、Ｓ１０８〜Ｓ１２６を、インクジェット記録装置側処理ともいう。情報処理装置側処理は、情報処理装置１０においてＣＰＵ１２が、記憶部１４に記憶されているこれら処理のためのコンピュータプログラムを実行して行われる。ＣＰＵ１２は、ユーザが情報処理装置１０の操作部を操作し、情報処理装置側処理の開始を指示した場合に、この処理を開始する。一方、インクジェット記録装置側処理は、インクジェット記録装置５０においてＣＰＵ５２が、ＲＯＭに記憶されているこの処理のためのコンピュータプログラムを実行して行われる。ＣＰＵ５２は、情報処理装置１０から送信される記録データＡ〜Ｄ等を受信した場合に、インクジェット記録装置側処理を開始する。
【００３４】
情報処理装置側処理を開始させるための指示が入力され、これを取得したＣＰＵ１２は情報処理装置１０の表示部に、図４に示すような操作画面１００を表示する（Ｓ１００）。ユーザは、情報処理装置１０の操作部を操作し、操作画面１００に所定の設定を入力する。操作画面１００は、画像データボックス１０２と、記録順序１０４と、記録回数ボックス１０６と、画像切替数ボックス１０８と、ＯＫボタン１１０と、キャンセルボタン１１２とを含む。画像データボックス１０２は、記録の対象となる画像データを指定するためのものである。図４に示す例では、画像データボックス１０２は、画像データボックス１０２ａ〜１０２ｇを含む。従って、操作画面１００では、一度に、７個の画像データを入力することができる。ユーザは、情報処理装置１０の操作部を操作し、記録の対象とする画像を示す画像データを、画像データボックス１０２に入力する。このような画像データは、記憶部１４及び／又は記憶装置９２等に記憶されている。図４では、画像データボックス１０２ａに画像データＡが入力され、画像データボックス１０２ｂに画像データＢが入力され、画像データボックス１０２ｃに画像データＣが入力され、画像データボックス１０２ｄに画像データＤが入力されている。
【００３５】
画像データボックス１０２ａ〜１０２ｇは、記録順序１０４にそれぞれ関連付けられている。具体的に、画像データボックス１０２ａは、順序が「１（第一位）」を示す記録順序１０４に関連付けられ、以降、画像データボックス１０２ｂ〜１０２ｇはそれぞれ、順序が「２（第二位）」〜「７（第七位）」を示す記録順序１０４に関連付けられている。記録順序１０４は、画像データボックス１０２に入力された画像データによって示される画像がインクジェット記録装置５０で記録されるに際し、その記録の順序を示す情報である。図４に示す例に基づけば、インクジェット記録装置５０では、初めに、記録順序１０４が「１」に関連付けられた画像データボックス１０２ａに入力された画像データＡによって示される画像Ａが記録される。画像Ａの記録が完了した場合、記録順序１０４が「２」に関連付けられた画像データボックス１０２ｂに入力された画像データＢによって示される画像Ｂが記録される。画像Ｂの記録が完了した場合、記録順序１０４が「３」に関連付けられた画像データボックス１０２ｃに入力された画像データＣによって示される画像Ｃが記録される。画像Ｃの記録が完了した場合、記録順序１０４が「４」に関連付けられた画像データボックス１０２ｄに入力された画像データＤによって示される画像Ｄが記録される。
【００３６】
記録回数ボックス１０６は、画像データボックス１０２に入力された画像データによって示される画像を１セットとして、これら１セットの画像（画像群）の記録が、インクジェット記録装置５０で繰り返される回数を示す記録回数を設定するためのものである。ユーザは、情報処理装置１０の操作部を操作し、記録回数を記録回数ボックス１０６に入力する。図４に示す例では、記録回数ボックス１０６に「８」が入力されている。画像切替数ボックス１０８は、画像データボックス１０２に入力された画像データによって示される画像が、インクジェット記録装置５０で連続して記録される回数を示す画像切替回数を設定するものである。ユーザは、情報処理装置１０の操作部を操作し、画像切替数を画像切替数ボックス１０８に入力する。図４に示す例では、画像切替数ボックス１０８に「１」が入力されている。ＯＫボタン１１０は、記録順序１０４に関連付けられた画像データボックス１０２と、記録回数ボックス１０６と、画像切替数ボックス１０８とに入力された上記各設定を確定させ、インクジェット記録装置５０に記録の開始を指示する場合に押下されるボタンである。キャンセルボタン１１２は、上記各設定の入力をキャンセルする場合に押下されるボタンである。ユーザは、情報処理装置１０の操作部を操作して、ＯＫボタン１１０及びキャンセルボタン１１２を押下する。
【００３７】
操作画面１００に入力される各設定について、具体的に説明する。まず、図４に示す状態でＯＫボタン１１０が押下されたとする。この場合、インクジェット記録装置５０では、１番目に搬送されるブロック８０には、記録順序１０４が第一位である画像データボックス１０２ａに入力された画像データＡに対応して画像Ａが記録される。続けて、２番目に搬送されるブロック８０には、記録順序１０４が第二位である画像データボックス１０２ｂに入力された画像データＢに対応して画像Ｂが記録される。３番目に搬送されるブロック８０には、記録順序１０４が第三位である画像データボックス１０２ｃに入力された画像データＣに対応して画像Ｃが記録される。４番目に搬送されるブロック８０には、記録順序１０４が第四位である画像データボックス１０２ｄに入力された画像データＤに対応して画像Ｄが記録される。つまり、インクジェット記録装置５０では、画像切替数ボックス１０８に入力された画像切替数「１」に対応させて、画像Ａ〜Ｄがそれぞれ１回記録される毎に、記録順序１０４に従って別の画像が記録される。そして、インクジェット記録装置５０では、このような画像Ａ〜Ｄの一連の記録（１セット）が、記録回数ボックス１０６に入力された記録回数「８」に対応して、８回繰り返される。この結果、画像Ａが記録されたブロック８０と、画像Ｂが記録されたブロック８０と、画像Ｃが記録されたブロック８０と、画像Ｄが記録されたブロック８０とによる４個のブロック８０を１セットとした、合計８セット分のブロック８０が生産される。換言すれば、合計３２個のブロック８０が生産される。
【００３８】
また、画像切替数ボックス１０８以外の設定は図４に示す状態において、画像切替数ボックス１０８に「２」が入力され、ＯＫボタン１１０が押下されたとする。この場合、インクジェット記録装置５０では、１番目及び２番目に搬送されるブロック８０には、記録順序１０４が第一位である画像データボックス１０２ａに入力された画像データＡに対応して画像Ａが連続して記録される。続けて、３番目及び４番目に搬送されるブロック８０には、記録順序１０４が第二位である画像データボックス１０２ｂに入力された画像データＢに対応して画像Ｂが連続して記録される。５番目及び６番目に搬送されるブロック８０には、記録順序１０４が第三位である画像データボックス１０２ｃに入力された画像データＣに対応して画像Ｃが連続して記録される。７番目及び８番目に搬送されるブロック８０には、記録順序１０４が第四位である画像データボックス１０２ｄに入力された画像データＤに対応して画像Ｄが連続して記録される。つまり、インクジェット記録装置５０では、画像切替数ボックス１０８に入力された画像切替数「２」に対応して、画像Ａ〜Ｄがそれぞれ２回記録される毎に、記録順序１０４に従って別の画像が記録される。そして、インクジェット記録装置５０では、このような画像Ａ〜Ｄの一連の記録（１セット）が、記録回数ボックス１０６に入力された記録回数「８」に対応して、８回繰り返される。この結果、画像Ａが記録された２個のブロック８０と、画像Ｂが記録された２個のブロック８０と、画像Ｃが記録された２個のブロック８０と、画像Ｄが記録された２個のブロック８０とによる８個のブロック８０を１セットとした、合計８セットのブロック８０が生産される。換言すれば、合計６４個のブロック８０が生産される。
【００３９】
Ｓ１００を実行した後、ＣＰＵ１２は、ＯＫボタン１１０が押下されたかについて判断する（Ｓ１０２）。上述したように、ユーザは、操作画面１００への入力が完了したとき、ＯＫボタン１１０を押下する。ＯＫボタン１１０が押下されていない場合（Ｓ１０２：Ｎｏ）、ＣＰＵ１２は、ＯＫボタン１１０が押下されるまで待機する。なお、ユーザがキャンセルボタン１１２を押下した場合、ＣＰＵ１２は、情報処理装置側処理を終了する。つまり、画像記録システム１では、図３に示す処理が終了される。ＯＫボタン１１０が押下された場合（Ｓ１０２：Ｙｅｓ）、ＣＰＵ１２は、処理をＳ１０４に移行する。
【００４０】
Ｓ１０４でＣＰＵ１２は、まず、ＯＫボタン１１０が押下された時点において、操作画面１００に入力された各設定を取得する。図４に基づき具体的に説明する。ＣＰＵ１２は、記憶部１４にアクセスし、画像データボックス１０２のうち、画像データボックス１０２ａ〜１０２ｄに入力された画像データＡ〜Ｄを指定し、これらを記憶部１４から読み出してメモリ１６に記憶する。なお、記憶装置９２等に記憶されている画像データが入力されていた場合、ＣＰＵ１２は、画像データが記憶されている記憶装置９２等にアクセスし、これを読み出してメモリ１６に記憶する。ＣＰＵ１２は、メモリ１６に記憶された画像データＡ〜Ｄをそれぞれラスタライズし、記録データＡ〜Ｄを生成する。生成された記録データＡ〜Ｄは、メモリ１６に記憶される。ＣＰＵ１２は、指定された画像データＡ〜Ｄに関連付けられた記録順序１０４に従い、生成された記録データＡ〜Ｄに関連付けられた順序指令を生成する。つまり、ＣＰＵ１２は、記録データＡの記録順序１０４が第一位に設定され、記録データＢの記録順序１０４が第二位に設定され、記録データＣの記録順序１０４が第三位に設定され、記録データＤの記録順序１０４が第四位に設定された順序指令を生成する。ＣＰＵ１２は、記録回数ボックス１０６に入力された記録回数に従い、この記録回数が設定された回数指令を生成する。つまり、ＣＰＵ１２は、記録回数が８回に設定された回数指令を生成する。ＣＰＵ１２は、画像切替数ボックス１０８に入力された画像切替数に従い、この画像切替数が設定された切替数指令を生成する。つまり、ＣＰＵ１２は、画像切替数が１回に設定された切替数指令を生成する。ＣＰＵ１２は、生成された記録データＡ〜Ｄと順序指令と回数指令と切替数指令とを、インクジェット記録装置５０に送信する。これらの送信は、通信インターフェース１８を介して行われる。続けてＣＰＵ１２は、通信インターフェース１８を介したＳ１０４による送信が完了したかについて判断する（Ｓ１０６）。送信が完了していない場合（Ｓ１０６：Ｎｏ）、ＣＰＵ１２は、送信が完了するまでＳ１０４の処理を継続する。一方、送信が完了した場合（Ｓ１０６：Ｙｅｓ）、画像記録システム１で実行される処理は、インクジェット記録装置５０の側に移行する。情報処理装置１０の側においてＣＰＵ１２は、情報処理装置側処理を終了する。この場合、処理をＳ１００に戻し、再度、情報処理装置側処理を実行し、画像の記録が指示可能な状態に移行するようにしてもよい。
【００４１】
Ｓ１０４で送信された記録データＡ〜Ｄと順序指令と回数指令と切替数指令とは、インクジェット記録装置５０の通信インターフェース５４で受信され、インクジェット記録装置５０では、インクジェット記録装置側処理が開始される（Ｓ１０８）。このインクジェット記録装置側処理を開始したＣＰＵ５２は、受信された記録データＡ〜Ｄを第一メモリ５６に記憶する（Ｓ１０９）。続けてＣＰＵ５２は、受信された記録データＡ〜Ｄの一連の記録が完了したセット数を示す記録完了数Ｉのためのカウンタを、初期化（Ｉ＝０）する（Ｓ１１０）。この際、ＣＰＵ５２は、記録回数を示す変数Ｋを、通信インターフェース５４で受信された回数指令によって示される記録回数に設定する。
【００４２】
Ｓ１１０を実行した後、ＣＰＵ５２は、通信インターフェース５４で受信された順序指令によって示される記録順序１０４に従い、第一メモリ５６に記憶された記録データＡ〜Ｄの中から、今回の記録に対応する記録順序１０４が設定された記録データを特定する。ＣＰＵ５２は、今回特定された記録データを第一メモリ５６から読み出し、第二メモリ５８に転送して記憶する（Ｓ１１２）。ＣＰＵ５２は、第二メモリ５８への記憶に際し、第二メモリ５８に既に別の記録データが記憶されていれば、記憶済みの記録データを消去する。Ｓ１１２を具体的に説明する。例えば、インクジェット記録装置側処理が開始された直後であれば、記録順序１０４が第一位に設定されている記録データＡが特定される。ＣＰＵ５２は、第一メモリ５６から記録データＡを読み出し、第二メモリ５８に転送して記憶する。記録データＡが記録された後、後述するＳ１２２で処理がＳ１１２に戻った場合であれば、ＣＰＵ５２は、第二メモリ５８に記憶されている記録データＡを消去する。続けてＣＰＵ５２は、記録順序１０４が記録データＡの次の第二位に設定されている記録データＢを特定し、第一メモリ５６から記録データＢを読み出し、第二メモリ５８に転送して記憶する。この場合、第二メモリ５８に記憶されている記録データＡの消去と、第二メモリ５８への記録データＢの記憶とについて、記録データＡに記録データＢを上書きするような構成としてもよい。記録順序１０４が第三位に設定されている記録データＣ及び第四位に設定されている記録データＤについても同様に処理を行う。記録データＤが記録された後、後述するＳ１２６で処理がＳ１１２に戻った場合であれば、ＣＰＵ５２は、第二メモリ５８に記憶されている記録データＤを消去する。続けてＣＰＵ５２は、再度、記録順序１０４が第一位に設定されている記録データＡを特定し、第一メモリ５６から記録データＡを読み出し、第二メモリ５８に転送して記憶する。この場合についても、前述の通り、記録データＤに記録データＡを上書きするような構成としてもよい。
【００４３】
次に、ＣＰＵ５２は、Ｓ１１２で第二メモリ５８に記憶された記録データが記憶後に記録された数を示す記録個数（Ｎ）のためのカウンタを、初期化（Ｎ＝０）する（Ｓ１１４）。この際、ＣＰＵ５２は、画像切替数を示す変数Ｊを、通信インターフェース５４で受信された切替数指令によって示される画像切替数に設定する。続けてＣＰＵ５２は、記録部６０を制御し、Ｓ１１２で第二メモリ５８に記憶された記録データに従った記録工程を実行する（Ｓ１１６）。これによって、この時点において記録部６０の位置に搬送されているブロック８０の記録面８２には、Ｓ１１２で第二メモリ５８に記憶された記録データによる画像が記録される。Ｓ１１６を実行した後、ＣＰＵ５２は、記録個数Ｎのカウント数を１アップする（Ｓ１１８）。続けてＣＰＵ５２は、Ｓ１１６での画像の記録に伴い、Ｓ１１８で１アップされた記録個数Ｎと、画像切替数を示す変数Ｊとの間で、「Ｎ＝Ｊ」の関係が満足されるかについて判断する（Ｓ１２０）。例えば切替数指令が「１」であった場合については、Ｓ１１４が実行された後、Ｓ１１６及びＳ１１８が１回実行された時点で、記録個数Ｎと変数Ｊとは共に「１」となり、Ｓ１２０の関係は満足される。このような場合、ＣＰＵ５２は、Ｓ１２０の判断を肯定し（Ｓ１２０：Ｙｅｓ）、処理をＳ１２２に移行する。一方、例えば切替数指令が「２」であった場合において、Ｓ１１４が実行された後、Ｓ１１６及びＳ１１８が１回しか実行されていなければ、記録個数Ｎは「１」であるのに対し変数Ｊは「２」であるため、Ｓ１２０の関係は満足されない。このような場合、ＣＰＵ５２は、Ｓ１２０の判断を否定し（Ｓ１２０：Ｎｏ）、処理をＳ１１６に戻す。なお、例えば切替数指令が「２」であった場合において、一度、Ｓ１２０の判断が否定され（Ｓ１２０：Ｎｏ）、再度、Ｓ１１６及びＳ１１８が実行されると、記録個数Ｎと変数Ｊとは共に「２」となり、Ｓ１２０の関係は満足される。
【００４４】
Ｓ１２２でＣＰＵ５２は、記録順序１０４がＳ１１２で第二メモリ５８に記憶された記録データの次の順序に設定された記録データの存在について判断する。具体的に、Ｓ１１２で第二メモリ５８に記憶された記録データが、記録データＡ，Ｂ，Ｃの何れかである場合、記録順序１０４が次の順序である記録データＢ，Ｃ，Ｄが存在するため、ＣＰＵ５２は、次の記録データがあるとして、Ｓ１２２の判断を否定する（Ｓ１２２：Ｎｏ）。この場合、ＣＰＵ５２は、処理をＳ１１２に戻し、記録順序１０４が次の順序である記録データを、第一メモリ５６から読み出し、第二メモリ５８に転送して記憶する。一方、Ｓ１１２で第二メモリ５８に記憶された記録データが、記録データＤである場合、記録順序１０４が次の順序である記録データは存在しない。つまり、図４に示す例では、記録順序１０４が第五位に設定された記録データが存在しないため、ＣＰＵ５２は、次の記録データはないとして、Ｓ１２２の判断を肯定する（Ｓ１２２：Ｙｅｓ）。この場合、ＣＰＵ５２は、処理をＳ１２４に移行する。
【００４５】
Ｓ１２４でＣＰＵ５２は、記録完了数Ｉのカウント数を１アップする。つまり、ＣＰＵ５２は、第一メモリ５６に記憶された記録データＡ〜Ｄに従った画像Ａ〜Ｄの記録が、１セット分完了する毎に、記録完了数Ｉを１アップする。続けてＣＰＵ５２は、Ｓ１２４で１アップされた記録完了数Ｉと、記録回数を示す変数Ｋとの間で、「Ｉ＝Ｋ」の関係が満足されるかについて判断する（Ｓ１２６）。回数指令によって示される記録回数に対応したセット数分だけの記録が完了している場合、記録完了数Ｉと変数Ｋとは等しくなる。図４に示す例に基づけば、記録完了数Ｉと変数Ｋとは、共に「８」となる。このような場合、Ｓ１２６の関係は満足されるため、ＣＰＵ５２は、Ｓ１２６の判断を肯定し（Ｓ１２６：Ｙｅｓ）、Ｓ１０８で開始されたインクジェット記録装置側処理を終了する。つまり、画像記録システム１では、図３に示す処理が終了される。この場合、第一メモリ５６に記憶されている記録データＡ〜Ｄ及び／又は第二メモリ５８に記憶されている記録データＤが、消去されるようにしてもよい。この他、第一メモリ５６に記憶されている記録データＡ〜Ｄ及び／又は第二メモリ５８に記憶されている記録データＤについて、終了時には特別に消去せず、次回、Ｓ１０８が実行された場合に消去されるようにしてもよい。
【００４６】
これに対し、回数指令によって示される記録回数に対応したセット数分だけの記録が完了していない場合、記録完了数Ｉと記録回数を示す変数Ｋとは異なる。図４に示す例に基づけば、変数Ｋは「８」であって、記録完了数Ｉが、「１〜７」の何れかである場合、Ｓ１２６の関係は満足されない。この場合、ＣＰＵ５２は、Ｓ１２６を否定し（Ｓ１２６：Ｎｏ）、処理をＳ１１２に戻す。そして、ＣＰＵ５２は、上述した通り、再度、記録順序１０４が第一位に設定されている記録データＡを特定し、第一メモリ５６から記録データＡを読み出し、第二メモリ５８に転送して記憶する。その後、ＣＰＵ５２は、Ｓ１２６の判断が肯定（Ｓ１２６：Ｙｅｓ）されるまで、上述したＳ１１２〜Ｓ１２６の処理を繰り返して実行する。なお、例えば変数Ｋが「８」に設定されている場合、Ｓ１２６の判断は７回否定（Ｓ１２６：Ｎｏ）される。そして、Ｓ１１２〜Ｓ１２６の実行回数が、８回目となった時点で、Ｓ１２６の判断は肯定（Ｓ１２６：Ｙｅｓ）される。
【００４７】
上述した通り、本実施形態の画像記録システム１では、ブロック８０が順次連続して搬送され、画像Ａ〜Ｄが記録され、且つこの一連の記録が繰り返して実行される。その際、第一メモリ５６には、記録される画像Ａ〜Ｄのための記録データＡ〜Ｄが継続して記憶される。一方、第二メモリ５８には、記録データＡ〜Ｄのうち、今回記録の対象となる何れか一つが順序指令によって示される記録順序１０４に従って順次切り替えて記憶される。ＣＰＵ５２は、第二メモリ５８への記憶を、第一メモリ５６に記憶されている記録データＡ〜Ｄを用いて切り替える。インクジェット記録装置５０では、一旦、情報処理装置１０から記録データＡ〜Ｄが受信されれば、これ以降、再度、記録データＡ〜Ｄを受信するといった処理を行う必要がない。また、インクジェット記録装置５０では、画像Ａ〜Ｄがそれぞれ複数回にわたって記録されるような場合であっても、記録回数に対応した個数の記録データＡ〜Ｄをそれぞれ記憶させる必要もない。
【００４８】
インクジェット記録装置５０では、記録のための記録データを効率的に且つ高速に切り替えることができる。そのため、所定の短い間隔、例えばブロック８０の搬送方向の長さ寸法よりも短い間隔でブロック８０を順次連続して搬送したとしても、記録の対象である画像Ａ〜Ｄの何れかを、好適に記録面８２に記録することができる。つまり、本実施形態の画像記録システム１によれば、インクジェット記録装置５０で実行される一連の記録工程を効率的に且つ高速に実行することができる。また、情報処理装置１０では、記録される画像の順序等について、各種の条件に対しても対応可能な詳細な設定を行うことができる。
【００４９】
＜実施例＞
ブロック８０のような産業資材は、所定の構造物を形成するために用いられる。従って、パーソナルユースで画像が記録される記録用紙等とは異なり、外形寸法（体積）が大きく及び／又は重量物であって、取り扱い難い場合が多い。例えば、記録媒体としての産業資材が、上記において例示したような、ブロック塀を形成するブロック８０である場合（例えばＪＩＳ  Ａ  ５４０６：２００５に規定されたブロック）、その外形寸法及び重量は、次の通りとなる。つまり、外形寸法は、例えば、幅３９０ｍｍ（図２（ａ）で搬送方向の寸法）、高さ１９０ｍｍ（図２（ａ）で搬送方向と直交する方向の寸法）、厚み１００ｍｍ，１２０ｍｍ，１５０ｍｍ，１９０ｍｍ（図２（ｂ）で搬送面６６に直交する方向の寸法）程度となる。重量は、７ｋｇ／個〜１０ｋｇ／個程度となる。ブロック塀が、例えば上述したような、画像Ａが記録されたブロック８０と、画像Ｂが記録されたブロック８０と、画像Ｃが記録されたブロック８０と、画像Ｄが記録されたブロック８０とを組み合わせて形成されるとする。このような場合、発明者は、４種類の画像Ａ〜Ｄがそれぞれ記録された１セット分のブロック８０が、１セット単位で、加工生産現場から出荷されて輸送されることが重要であると考えた。このようなブロック８０は、１セット単位で多数セットがまとめて取り引きされる。そのため、このような取引態様に合わせておけば、そのままの状態で取り引きすることができる。
【００５０】
画像Ａ〜Ｄがそれぞれ記録された４個のブロック８０を１セットとした、合計８セット分のブロック８０が、取引態様に合わせた状態で、情報処理装置とインクジェット記録装置とを含む画像記録システムが存在する加工生産現場から出荷されて輸送されるとする。例えば図５及び図６に示すような比較例では、次のような工程が実行される。なお、図５及び図６では、搬送部６４（本実施形態と同一の符号を用いる）のみを図示し、インクジェット記録装置に関する図示を簡略化している。また、図５及び図６において、搬送部６４に載せ置かれたブロック８０の上部に記載した画像名は、その工程で記録される又は記録された画像の種類を示している。
【００５１】
図５に示す第一工程では、８個のブロック８０が順次連続して搬送され、そのそれぞれに画像Ａが記録される。画像Ａが記録された８個のブロック８０は、まとめてパレット８４の上にストックされる。同様に、図５に示す第二工程では、順次連続して搬送されるブロック８０に、画像Ｂが記録される。画像Ｂが記録された８個のブロック８０は、まとめてパレット８４の上にストックされる。図５に示す第三工程では、順次連続して搬送されるブロック８０に、画像Ｃが記録される。画像Ｃが記録された８個のブロック８０は、まとめてパレット８４の上にストックされる。図６に示す第四工程では、順次連続して搬送されるブロック８０に、画像Ｄが記録される。画像Ｄが記録された８個のブロック８０は、まとめてパレット８４の上にストックされる。比較例では、第一工程〜第四工程を実施した後に、取引態様に合わせるため、積み替え作業を伴う第五工程が必要となる。つまり、それぞれのパレット８４から、画像Ａ〜Ｄがそれぞれ記録された１個のブロック８０を取り出し、画像Ａ〜Ｄがそれぞれ記録された１セット分のブロック８０の組合せとしなければならない。このような第五工程は、出荷作業の効率を低下させることとなる。
【００５２】
これに対して、本実施形態の画像記録システム１のインクジェット記録装置５０では、図７に示す第一工程において、順次連続して搬送されるブロック８０に、画像Ａ、画像Ｂ、画像Ｃ及び画像Ｄが順次記録され、パレット８４にストックされる。さらに、インクジェット記録装置５０では、このような一連の記録が、必要な分だけ繰り返して実行される。そのため、第一工程を実施した後、図７の第二工程のように積み替え作業を伴わない出荷作業が行われる。従って、比較例のような積み替え作業を伴う第五工程を実施することなく、取引態様に合った出荷作業を容易に行うことができる。そのため、効率的な出荷作業を実現することが可能となり、画像の記録を伴うブロック８０の加工生産を効率的に行うことができる。なお、図７の図示の方法については、上述した図５及び図６の場合と同様である。なお、上述した本実施形態によれば、操作画面１００において、記録回数ボックス１０６と画像切替数ボックス１０８に同じ値、例えば「８」を入力すると、比較例の第一工程〜第四工程のような画像の記録が、連続的に実行される。従って、仮に、画像Ａ〜Ｄのそれぞれが記録されたブロック８０を、画像毎に分けて出荷して輸送しなければならない場合であっても、適切に対応することができる。
【００５３】
上述した本実施形態は、次のようにすることもできる。図４に示す操作画面１００は、図８に示すような操作画面２００としてもよい。なお、図８に示す操作画面２００において、操作画面１００と同一の構成（設定）については、同一の符号を付している。また、以下では、操作画面２００を採用することによって変更される構成について説明することとし、上記同様の構成については、その説明を省略する。操作画面２００は、画像データボックス１０２に対応付けられた画像切替数ボックス２０８を含む。画像切替数ボックス２０８は、操作画面１００の画像切替数ボックス１０８に対応するものである。つまり、操作画面２００によれば、画像データボックス１０２ａ〜１０２ｇに入力される画像データ毎に、画像切替数ボックス２０８ａ〜２０８ｇに入力された値を画像切替数として設定することができる。ユーザは、情報処理装置１０の操作部を操作し、画像データボックス１０２ａ〜１０２ｇに入力される画像データ毎に、画像切替数を画像切替数ボックス２０８ａ〜２０８ｇに入力する。図８に示す例では、画像切替数ボックス２０８ａに「１」が入力され、以下、画像切替数ボックス２０８ｂに「２」、画像切替数ボックス２０８ｃに「３」、画像切替数ボックス２０８ｄに「２」が入力されている。
【００５４】
操作画面２００が採用される場合、情報処理装置１０のＣＰＵ１２は、図３に示す処理のＳ１００でこれを表示し、Ｓ１０４で、上述した切替数指令に換えて、図８での入力に従った次のような切替数指令を生成し送信する。つまり、Ｓ１０４でＣＰＵ１２は、記録データＡの画像切替数が「１」に設定され、記録データＢの画像切替数が「２」に設定され、記録データＣの画像切替数が「３」に設定され、記録データＤの画像切替数が「２」に設定された切替数指令を生成し、これを、記録データＡ〜Ｄと順序指令と回数指令とともに送信する。この切替数指令を受信したインクジェット記録装置５０では、Ｓ１１４で、記録データＡ〜Ｄ毎に、画像切替数を示す変数Ｊが設定される。具体的に、記録データＡについて、画像切替数を示す変数Ｊａが「１」に設定される。記録データＢについて、画像切替数を示す変数Ｊｂが「２」に設定される。記録データＣについて、画像切替数を示す変数Ｊｃが「３」に設定される。記録データＤについて、画像切替数を示す変数Ｊｄが「２」に設定される。
【００５５】
また、例えば、図３のＳ１１２で第二メモリ５８に記録データＡが記録されている場合、Ｓ１２０では、記録データＡの記録（Ｓ１１６参照）に伴いＳ１１８で１アップされた記録個数Ｎと、記録データＡについての画像切替数を示す変数Ｊａとの間で、「Ｎ＝Ｊａ」の関係が満足されるかについて判断される。Ｓ１１２で第二メモリ５８に記録データＢが記録されている場合、Ｓ１２０では、記録データＢの記録（Ｓ１１６参照）に伴いＳ１１８で１アップされた記録個数Ｎと、記録データＢについての画像切替数を示す変数Ｊｂとの間で、「Ｎ＝Ｊｂ」の関係が満足されるかについて判断される。Ｓ１１２で第二メモリ５８に記録データＣが記録されている場合、Ｓ１２０では、記録データＣの記録（Ｓ１１６参照）に伴いＳ１１８で１アップされた記録個数Ｎと、記録データＣについての画像切替数を示す変数Ｊｃとの間で、「Ｎ＝Ｊｃ」の関係が満足されるかについて判断される。Ｓ１１２で第二メモリ５８に記録データＤが記録されている場合、Ｓ１２０では、記録データＤの記録（Ｓ１１６参照）に伴いＳ１１８で１アップされた記録個数Ｎと、記録データＤについての画像切替数を示す変数Ｊｄとの間で、「Ｎ＝Ｊｄ」の関係が満足されるかについて判断される。なお、何れの場合においても、Ｓ１２０の判断後に実行される処理は、上記同様である。
【００５６】
操作画面２００を採用したこのような処理によって、インクジェット記録装置５０では、次のような記録工程が、順次連続して搬送されるブロック８０を対象として実行される。つまり、図８に示す例に基づけば、１番目に搬送されるブロック８０には、記録順序１０４が第一位である画像データボックス１０２ａに入力された画像データＡに対応して画像Ａが記録される。続けて、２番目及び３番目に搬送されるブロック８０には、記録順序１０４が第二位である画像データボックス１０２ｂに入力された画像データＢに対応して画像Ｂが連続して記録される。４番目〜６番目に搬送されるブロック８０には、記録順序１０４が第三位である画像データボックス１０２ｃに入力された画像データＣに対応して画像Ｃが連続して記録される。７番目及び８番目に搬送されるブロック８０には、記録順序１０４が第四位である画像データボックス１０２ｄに入力された画像データＤに対応して画像Ｄが連続して記録される。インクジェット記録装置５０では、画像切替数ボックス２０８ａ〜２０８ｄにそれぞれ入力された画像切替数に対応して、画像Ａ〜Ｄがそれぞれ入力された値に等しい回数分記録される毎に、記録順序１０４に従った別の画像が記録される。そして、インクジェット記録装置５０では、このような画像Ａ〜Ｄの一連の記録（１セット）が、記録回数ボックス１０６に入力された記録回数「８」に対応して、８回繰り返される。この結果、画像Ａが記録された１個のブロック８０と、画像Ｂが記録された２個のブロック８０と、画像Ｃが記録された３個のブロック８０と、画像Ｄが記録された２個のブロック８０とによる８個のブロック８０を１セットとした、合計８セットのブロック８０が生産される。換言すれば、合計６４個のブロック８０が生産される。
【００５７】
この他、操作画面１００又は操作画面２００において、画像データボックス１０２に入力された画像データ毎に、記録される画像の位置補正を設定できるようにしてもよい。この場合、記録データ毎の位置補正情報を含む補正指令が、記録データ等とともに、情報処理装置１０から送信され、インクジェット記録装置５０で受信される。インクジェット記録装置５０において、ＣＰＵ５２は、記録データ毎の位置補正情報に従い、搬送されてきたブロック８０の記録面８２に対する、画像の記録位置を変更する。これによれば、それぞれの画像が適切な位置に記録されたブロック８０を生産することができる。
【００５８】
また、インクジェット記録装置５０が、記録部６０による記録が行われる記録領域をブロック８０が搬送されていることを検出可能なセンサを備え、記録領域をブロック８０が搬送されている間、第二メモリ５８に記憶されている記録データに従った画像の記録が継続されるようにしてもよい。センサとしては、透過型センサが例示される。センサは、記録領域にブロック８０が搬送されてきたことが検出されている間、オンの状態とされ、記録領域をブロック８０が通過するとオフとなる。つまり、ＣＰＵ５２は、センサがオンの状態である間、記録部６０を制御し、各色の紫外線硬化型インクを吐出する。
【００５９】
インクジェット記録装置５０で第一メモリ５６をメモリチップが両面実装されたタイプのもの等とすることで、第一メモリ５６の容量を増加し、既に第一メモリ５６に記憶されている記録データに従った記録を行いつつ、他の記録についての記録データを記憶できるようにしてもよい。この場合、情報処理装置１０では、上述したように、図３のＳ１０６の判断が肯定されたとき（Ｓ１０６：Ｙｅｓ）、処理がＳ１００に戻され、上述した情報処理装置側処理が繰り返して実行され、画像の記録が指示可能な状態となる。インクジェット記録装置５０では、Ｓ１２６の判断が肯定されたとき（Ｓ１２６：Ｙｅｓ）、処理がＳ１０８に戻され、インクジェット記録装置側処理が繰り返して実行される。具体的に説明する。インクジェット記録装置５０では、上述した図３のＳ１０８でインクジェット記録装置側処理が開始されて、Ｓ１０９で第一メモリ５６の表面側のメモリチップに、記録データＡ〜Ｄが記憶され、記録データＡ〜Ｄに従って、Ｓ１１０以降の処理が順次実行されているとする。処理がＳ１０６からＳ１００に戻された情報処理装置１０では、操作画面１００が表示され、例えば、画像データボックス１０２ａに画像データＥが入力され、画像データボックス１０２ｂに画像データＦが入力され、画像データボックス１０２ｃに画像データＧが入力され、画像データボックス１０２ｄに画像データＨが入力される等して、ＯＫボタン１１０が押下される（Ｓ１０２：Ｙｅｓ）。これに伴い情報処理装置１０では、画像データＥ〜Ｈから記録データＥ〜Ｈが生成される等して、生成された記録データＥ〜Ｈ等がインクジェット記録装置５０に送信される（Ｓ１０４）。インクジェット記録装置５０では、記録データＥ〜Ｈ等が受信され、受信された記録データＥ〜Ｈが、第一メモリ５６の裏面側のメモリチップに記憶される（Ｓ１０９参照）。インクジェット記録装置５０では、Ｓ１２６の判断が肯定されたとき（Ｓ１２６：Ｙｅｓ）、第一メモリ５６に記憶されている記録データＥ〜Ｈに対するインクジェット記録装置側処理が、記録データＡ〜Ｄの記録に連続して実行される（Ｓ１０８，Ｓ１１０〜Ｓ１２６）。画像データＥ〜Ｈ及び記録データＥ〜Ｈを対象とした情報処理装置側処理及びインクジェット記録装置側処理については、画像データＡ〜Ｄ及び記録データＡ〜Ｄの場合と同様で、上述した通りである。これらについての説明は省略する。情報処理装置１０及びインクジェット記録装置５０では、さらに繰り返して情報処理装置側処理及びインクジェット記録装置側処理が実行されてもよい。第一メモリ５６の容量の増加は、第一メモリ５６となるメモリの枚数を増加して実現されてもよい。操作画面２００を採用することもできる。
【００６０】
なお、上記では、インクジェット記録装置５０が、ライン型のインクジェット記録装置である場合を例に説明した。本実施形態及びこれを変形した上述の構成において、シリアル型のインクジェット記録装置とすることもできる。また、記録媒体が、コンクリートブロック８０である場合を例に説明した。記録媒体は、これとは異なる産業資材であってもよい。さらに、画像の記録に用いるインクとして紫外線硬化型インクを例に説明した。インクは、コンクリートブロック８０等の産業資材の用途等を考慮し、好適なインクが適宜選択され採用される。
【符号の説明】
【００６１】
１０  情報処理装置
１２  ＣＰＵ、  １４  記憶部、  １６  メモリ、  １８  通信インターフェース
５０  インクジェット記録装置
５２  ＣＰＵ、  ５４  通信インターフェース
５６  第一メモリ、  ５８  第二メモリ、  ６０  記録部、  ６４  搬送部
８０  コンクリートブロック（ブロック）
【図１】
0005857113.tif 000002
【図２】
0005857113.tif 000003
【図３】
0005857113.tif 000004
【図４】
0005857113.tif 000005
【図５】
0005857113.tif 000006
【図６】
0005857113.tif 000007
【図７】
0005857113.tif 000008
【図８】
0005857113.tif 000009